【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
外周形状が四角であり、その外周の内側に凹陥部を有する上部凹陥部材と、
外周形状が四角であり、その外周の内側に凹陥部を有する下部凹陥部材と、を隔壁にて隔てるよう前記隔壁の表裏に配置した外周形状が略直方体形状の容器体と、
圧電振動素子と、
発振回路を構成する電子回路素子と、
蓋体と、を備え、
前記上部凹陥部材の凹陥部内に前記圧電振動素子を収容し、該凹陥部を前記蓋体により気密封止すると共に、前記下部凹陥部材の凹陥部内に少なくとも前記電子回路素子を収容する構造を有する圧電発振器であって、
前記容器体の４つの外周側面のうち対向する側面にそれぞれ一つの凹所を設け、
前記凹所の内壁には、導体膜を配設し、
該導体膜を前記圧電振動素子と電気的に導通接続したことを特徴とする圧電発振器。
【請求項２】
前記凹所は、前記隔壁の側面と前記下部凹陥部材の側面とを切り欠いた構成であり、
前記表裏間の方向に延びる方向を厚み方向としたとき、前記導体膜は、厚み方向における前記下部凹陥部側に位置する端が前記容器体の厚み方向側に位置する端から離間した構成であることを特徴とする請求項１に記載の圧電発振器。
【請求項３】
外周形状が四角であり、その外周の内側に凹陥部を有する上部凹陥部材と、
外周形状が四角であり、その外周の内側に凹陥部を有する下部凹陥部材と、を隔壁にて隔てるよう前記隔壁の表裏に配置した外周形状が略直方体形状の容器体と、
圧電振動素子と、
発振回路を構成する電子回路素子と、
蓋体と、を備え、
前記上部凹陥部材の凹陥部内に前記圧電振動素子を収容し、該凹陥部を前記蓋体により気密封止すると共に、前記下部凹陥部材の凹陥部内に少なくとも前記電子回路素子を収容する構造を有し、
前記容器体の４つの外周側面のうち対向する側面にそれぞれ一つの凹所を設け、
前記凹所の内壁には、導体膜を配設し、
該導体膜を前記圧電振動素子と電気的に導通接続した構成であって、
前記凹所の内壁には、導体膜を配設し、
該導体膜を前記圧電振動素子と電気的に導通接続した構成の圧電発振器の製造方法であって、
前記上部凹陥部材の凹陥部内に前記圧電振動素子を実装する工程と、
前記凹陥部に実装した前記圧電振動素子の周波数を測定する工程と、
前記測定工程の測定結果に基づいて前記圧電振動素子の周波数を調整する工程と、
前記下部凹陥部材の凹陥部内に前記電子回路素子を搭載する工程と、
を少なくとも含み、
前記周波数測定工程は、前記圧電振動素子と電気的に導通する前記容器体の側面に有する前記凹所の内壁に配設された導体膜に測定用端子を接触し、前記圧電振動素子の周波数を測定するものであることを特徴とする圧電発振器の製造方法。
【請求項４】
前記上部凹陥部材の凹陥部内に前記圧電振動素子を実装する工程と、
前記凹陥部に実装した前記圧電振動素子の周波数を測定する工程と、
前記測定工程の測定結果に基づいて前記圧電振動素子の周波数を調整する工程と、を少なくとも含み、
前記周波数測定工程は、前記圧電振動素子と電気的に導通する前記容器体の側面に有する凹所の内壁に配設された導体膜に弾性を有する導電材を導通固定した測定用端子を押し当てるものであることを特徴とする請求項３に記載の圧電発振器の製造方法。
【請求項５】
前記測定用端子を構成する弾性を有する導電材が異方性導電シートであることを特徴とする請求項４に記載の圧電発振器の製造方法。
【手続補正２】
【補正対象書類名】明細書
【補正対象項目名】００１１
【補正方法】変更
【補正の内容】
【００１１】
［適用例１］本適用例にかかる圧電発振器は、外周形状が四角であり、その外周の内側に凹陥部を有する上部凹陥部材と、外周形状が四角であり、その外周の内側に凹陥部を有する下部凹陥部材と、を隔壁にて隔てるよう前記隔壁の表裏に配置した外周形状が略直方体形状の容器体と、圧電振動素子と、発振回路を構成する電子回路素子と、蓋体と、を備え、前記上部凹陥部材の凹陥部内に前記圧電振動素子を収容し、該凹陥部を前記蓋体により気密封止すると共に、前記下部凹陥部材の凹陥部内に少なくとも前記電子回路素子を収容する構造を有する圧電発振器であって、前記容器体の４つの外周側面のうち対向する側面にそれぞれ一つの凹所を設け、前記凹所の内壁には、導体膜を配設し、該導体膜を前記圧電振動素子と電気的に導通接続したことを特徴とする。
【手続補正３】
【補正対象書類名】明細書
【補正対象項目名】００１２
【補正方法】変更
【補正の内容】
【００１２】
［適用例２］上記の適用例にかかる圧電発振器であって、前記凹所は、前記隔壁の側面と前記下部凹陥部材の側面とを切り欠いた構成であり、前記表裏間の方向に延びる方向を厚み方向としたとき、前記導体膜は、厚み方向における前記下部凹陥部側に位置する端が前記容器体の厚み方向側に位置する端から離間した構成であることを特徴とする。
これらの構成によれば、微細な配線パターンによって小型化に対応する圧電発振器が得られるという効果を有する。
【手続補正４】
【補正対象書類名】明細書
【補正対象項目名】００１３
【補正方法】変更
【補正の内容】
【００１３】
［適用例３］また本適用例にかかる圧電発振器の製造方法は、外周形状が四角であり、その外周の内側に凹陥部を有する上部凹陥部材と、外周形状が四角であり、その外周の内側に凹陥部を有する下部凹陥部材と、を隔壁にて隔てるよう前記隔壁の表裏に配置した外周形状が略直方体形状の容器体と、圧電振動素子と、発振回路を構成する電子回路素子と、蓋体と、を備え、前記上部凹陥部材の凹陥部内に前記圧電振動素子を収容し、該凹陥部を前記蓋体により気密封止すると共に、前記下部凹陥部材の凹陥部内に少なくとも前記電子回路素子を収容する構造を有し、前記容器体の４つの外周側面のうち対向する側面にそれぞれ一つの凹所を設け、前記凹所の内壁には、導体膜を配設し、該導体膜を前記圧電振動素子と電気的に導通接続した構成であって、前記凹所の内壁には、導体膜を配設し、該導体膜を前記圧電振動素子と電気的に導通接続した構成の圧電発振器の製造方法であって、前記上部凹陥部材の凹陥部内に前記圧電振動素子を実装する工程と、前記凹陥部に実装した前記圧電振動素子の周波数を測定する工程と、前記測定工程の測定結果に基づいて前記圧電振動素子の周波数を調整する工程と、前記下部凹陥部材の凹陥部内に前記電子回路素子を搭載する工程と、を少なくとも含み、前記周波数測定工程は、前記圧電振動素子と電気的に導通する前記容器体の側面に有する前記凹所の内壁に配設された導体膜に測定用端子を接触し、前記圧電振動素子の周波数を測定するものであることを特徴とする。
【手続補正５】
【補正対象書類名】明細書
【補正対象項目名】００１４
【補正方法】変更
【補正の内容】
【００１４】
［適用例４］前記上部凹陥部材の凹陥部内に前記圧電振動素子を実装する工程と、前記凹陥部に実装した前記圧電振動素子の周波数を測定する工程と、前記測定工程の測定結果に基づいて前記圧電振動素子の周波数を調整する工程と、を少なくとも含み、前記周波数測定工程は、前記圧電振動素子と電気的に導通する前記容器体の側面に有する凹所の内壁に配設された導体膜に弾性を有する導電材を導通固定した測定用端子を押し当てるものであることを特徴とする。
これらの圧電発振器によれば、小型化に対応する圧電発振器と該圧電発振器が備える電極に確実にコンタクト（接触）する製造装置とを用いる圧電発振器が得られるという効果を有する。